(57)【要約】【課題】部材点数の低減及び構成の簡素化を図りながら、貫通部をシールすること。【解決手段】配管３ａ・配線を貫通自在な複数の挿通部材用孔部５１を有する挿通部材５と、配管３ａ・配線の外周部に当接する状態で配管３ａ・配線を貫通自在な複数の弾性部材用孔部６４を有する弾性部材６とが備えられ、挿通部材５は、区画体１と挿通部材５との間に弾性部材５を位置させる状態で区画体１の屋外面１ａ側に取り付けられ、弾性部材６は、挿通部材５と区画体１の屋外面１ａとの間をシールし、且つ、挿通部材５の挿通部材用孔部５１の内周部と配管３ａ・配線の外周部との間をシールするように構成されている。【選択図】図３
2019060460.tif 000002
【特許請求の範囲】
【請求項１】
屋外と屋内とを区画する区画体において、複数本の配管・配線が挿通される貫通部をシールする貫通部シール構造であって、
配管・配線を貫通自在な複数の挿通部材用孔部を有する挿通部材と、
配管・配線の外周部に当接する状態で配管・配線を貫通自在な複数の弾性部材用孔部を有する弾性部材とが備えられ、
前記挿通部材は、前記区画体と前記挿通部材との間に前記弾性部材を位置させる状態で前記区画体の屋外面側に取り付けられ、
前記弾性部材は、前記挿通部材と前記区画体の屋外面との間をシールし、且つ、前記挿通部材の挿通部材用孔部の内周部と配管・配線の外周部との間をシールするように構成されている貫通部シール構造。
【請求項２】
前記弾性部材には、配管・配線と前記挿通部材用孔部との間から浸入する水を屋外側に排出する排出通路が備えられている請求項１に記載の貫通部シール構造。
【請求項３】
前記弾性部材は、前記挿通部材に当接して複数の前記弾性部材用孔部が形成された外側弾性層と、前記区画体の屋外面に当接して複数の前記弾性部材用孔部が形成された内側弾性層との少なくとも２つの弾性層を備えており、
前記排出通路は、前記外側弾性層と前記内側弾性層との間に形成されている請求項２に記載の貫通部シール構造。
【請求項４】
前記弾性部材には、前記外側弾性層と前記内側弾性層との間に、配管・配線を貫通自在な複数の中間用孔部が形成された中間弾性層が備えられ、
前記中間弾性層には、複数の前記中間用孔部を接続する状態で前記排出通路が形成されている請求項３に記載の貫通部シール構造。
【請求項５】
前記内側弾性層は、前記貫通部の内周部に嵌合自在に形成されている請求項３又は４に記載の貫通部シール構造。
【請求項６】
請求項１〜５の何れか１項に記載の貫通部シール構造に用いられるシール部材であって、
前記挿通部材と前記弾性部材とが備えられ、
前記弾性部材は、前記挿通部材と前記区画体の屋外面との間をシールする第１シール部と、前記挿通部材用孔部の内周部と配管・配線の外周部との間をシールする第２シール部とを一体的に備えた一体シール部として構成されているシール部材。
【発明の詳細な説明】
【技術分野】
【０００１】
本発明は、屋外と屋内とを区画する区画体において、複数本の配管・配線が挿通される貫通部をシールする貫通部シール構造、及び、その貫通部シール構造に用いられるシール部材に関する。
【背景技術】
【０００２】
上記のような貫通部シール構造は、例えば、住宅等の建物の壁部を区画体とし、その壁部に形成された貫通部に複数本の配管・配線を挿通させた状態で貫通部をシールする構造である。
【０００３】
従来の構造としては、配管・配線を貫通自在な複数の挿通部材用孔部を有する挿通部材を備えており、挿通部材が、外周フランジ部を区画体（壁部）の屋外面に当接させる状態で区画体の屋外面側に取り付けられている。このように、区画体の屋外面に挿通部材を取り付けた場合には、挿通部材と区画体の屋外面との間、及び、挿通部材の挿通部材用孔部の内周部と配管・配線の外周部との間において、雨水等が屋外側から屋内側に浸入する可能性がある。
【０００４】
そこで、従来の構造では、挿通部材と区画体の屋外面との間をシールする第１シール部材（例えば、ゴムスポンジ等の弾性材）と、挿通部材の挿通部材用孔部の内周部と配管・配線の外周部との間をシールする第２シール部材（例えば、ゴムスポンジ等の弾性材）とが備えられている（例えば、特許文献１参照。）。
【先行技術文献】
【特許文献】
【０００５】
【特許文献１】特開２０１２−２１５７６号公報
【発明の概要】
【発明が解決しようとする課題】
【０００６】
特許文献１に記載の構造では、挿通部材と区画体の屋外面との間をシールする第１シール部材と、挿通部材の挿通部材用孔部の内周部と配管・配線の外周部との間をシールする第２シール部材とが別々に備えられている。よって、貫通部をシールするためには、第１シール部材と第２シール部材とを備えなければならず、部材点数の増大及び構成の複雑化を招くものとなっていた。
【０００７】
この実情に鑑み、本発明の主たる課題は、部材点数の低減及び構成の簡素化を図りながら、貫通部をシールすることができる貫通部シール構造、及び、その貫通部シール構造に用いられるシール部材を提供する点にある。
【課題を解決するための手段】
【０００８】
本発明の第１特徴構成は、屋外と屋内とを区画する区画体において、複数本の配管・配線が挿通される貫通部をシールする貫通部シール構造であって、
配管・配線を貫通自在な複数の挿通部材用孔部を有する挿通部材と、
配管・配線の外周部に当接する状態で配管・配線を貫通自在な複数の弾性部材用孔部を有する弾性部材とが備えられ、
前記挿通部材は、前記区画体と前記挿通部材との間に前記弾性部材を位置させる状態で前記区画体の屋外面側に取り付けられ、
前記弾性部材は、前記挿通部材と前記区画体の屋外面との間をシールし、且つ、前記挿通部材の挿通部材用孔部の内周部と配管・配線の外周部との間をシールするように構成されている点にある。
【０００９】
本構成によれば、挿通部材は、区画体と挿通部材との間に弾性部材を位置させる状態で区画体の屋外面側に取り付けられているので、挿通部材と区画体の屋外面との間に弾性部材が位置することになり、弾性部材によって挿通部材と区画体の屋外面との間をシールすることができる。弾性部材に備えられる弾性部材用孔部は、配管・配線の外周部に当接する状態で配管・配線が貫通しているので、弾性部材用孔部の内周部と配管・配線の外周部とが当接することになり、挿通部材の挿通部材用孔部の内周部と配管・配線の外周部との間をシールすることができる。これにより、弾性部材には、挿通部材と区画体の屋外面との間をシールするシール構造に加えて、挿通部材の挿通部材用孔部の内周部と配管・配線の外周部との間をシールするシール構造も備えさせることができる。よって、貫通部をシールするための部材としては、弾性部材を備えるだけでよく、部材点数の低減及び構成の簡素化を図りながら、貫通部をシールすることができる。
【００１０】
本発明の第２特徴構成は、前記弾性部材には、配管・配線と前記挿通部材用孔部との間から浸入する水を屋外側に排出する排出通路が備えられている点にある。
【００１１】
本構成によれば、配管・配線と挿通部材用孔部との間から水が浸入しても、その水を排出通路にて屋外側に排出することができるので、水の屋内側への浸入を防止することができる。しかも、弾性部材には、挿通部材と区画体の屋外面との間をシールするシール構造、及び、挿通部材の挿通部材用孔部の内周部と配管・配線の外周部との間をシールするシール構造に加えて、浸入する水を屋外側に排出する排出構造も備えさせることができ、部材点数の低減及び構成の簡素化を図ることができる。
【００１２】
本発明の第３特徴構成は、前記弾性部材は、前記挿通部材に当接して複数の前記弾性部材用孔部が形成された外側弾性層と、前記区画体の屋外面に当接して複数の前記弾性部材用孔部が形成された内側弾性層との少なくとも２つの弾性層を備えており、
前記排出通路は、前記外側弾性層と前記内側弾性層との間に形成されている点にある。
【００１３】
本構成によれば、外側弾性層及び内側弾性層の夫々に複数の弾性部材用孔部が形成されているので、外側弾性層及び内側弾性層の両方に、挿通部材の挿通部材用孔部の内周部と配管・配線の外周部との間をシールするシール構造を備えさせることができ、シール構造を二重構造とすることができる。しかも、排出通路は、外側弾性層と内側弾性層との間に形成されているので、一段目のシール構造と二段目のシール構造との間で、浸入する水を屋外側に排出することができる。このようにして、二重のシール構造と排出構造とをコンパクトに配置することができながら、各構造の機能を効果的に発揮することができ、屋内側への水の浸入を確実に防止することができる。
【００１４】
本発明の第４特徴構成は、前記弾性部材には、前記外側弾性層と前記内側弾性層との間に、配管・配線を貫通自在な複数の中間用孔部が形成された中間弾性層が備えられ、
前記中間弾性層には、複数の前記中間用孔部を接続する状態で前記排出通路が形成されている点にある。
【００１５】
本構成によれば、弾性部材は、外側弾性層と中間弾性層と内側弾性層との３層構造として簡易に構成することができる。中間弾性層には、複数の中間用孔部を接続する状態で排出通路が形成されているので、配管・配線を貫通させるための中間用孔部を利用しながら、排出通路を構成することができる。よって、構成の簡素化を図りながら、配管・配線と挿通部材用孔部との間から浸入する水を的確に屋外側に排出することができる。
【００１６】
本発明の第５特徴構成は、前記内側弾性層は、前記貫通部の内周部に嵌合自在に形成されている点にある。
【００１７】
本構成によれば、内側弾性層は、貫通部の内周部に嵌合自在であるので、挿通部材及び弾性部材を区画体の屋外面側に取り付ける際に、弾性部材の内側弾性層を貫通部の内周部に嵌合させることで、貫通部に対して挿通部材及び弾性部材を適切な位置に位置決めすることができる。よって、挿通部材及び弾性部材の取付作業を簡易に行うことができながら、挿通部材及び弾性部材を貫通部に対して所望位置に取り付けることができる。
【００１８】
本発明の第６特徴構成は、第１〜第５特徴構成の何れかに記載の貫通部シール構造に用いられるシール部材であって、
前記挿通部材と前記弾性部材とが備えられ、
前記弾性部材は、前記挿通部材と前記区画体の屋外面との間をシールする第１シール部と、前記挿通部材用孔部の内周部と配管・配線の外周部との間をシールする第２シール部とを一体的に備えた一体シール部として構成されている点にある。
【００１９】
本構成によれば、シール部材には挿通部材と弾性部材とが備えられ、弾性部材は第１シール部と第２シール部とを一体的に備えた一体シール部として構成されているので、シール部材を区画体の屋外面側に取り付けるだけで、挿通部材と区画体の屋外面との間をシールできるとともに、挿通部材の挿通部材用孔部の内周部と配管・配線の外周部との間もシールできる。よって、部材点数の低減及び構成の簡素化を図りながら、貫通部をシールすることができる。
【図面の簡単な説明】
【００２０】
【図１】シール部材を貫通部に取り付ける状態を示す斜視図
【図２】シール部材を屋内側から見た斜視図
【図３】シール部材を貫通部に取り付けた状態を示す断面図
【図４】シール部材における挿通部材、外側弾性層、中間弾性層、内側弾性層を示す分解斜視図
【図５】中間弾性層を示す正面図
【発明を実施するための形態】
【００２１】
本発明に係る貫通部シール構造、及び、その貫通部シール構造に用いられるシール部材の実施形態を図面に基づいて説明する。
この貫通部シール構造は、例えば、図１及び図３に示すように、屋外と屋内とを区画する区画体を住宅等の建物の壁部１とし、壁部１に形成された貫通部２に複数本の配管３ａ・配線３ｂを挿通させた状態で貫通部２をシールする構造である。そして、この貫通部シール構造では、壁部１の屋外面１ａにシール部材４を取り付けることで、貫通部２に複数本の配管３ａ・配線３ｂを挿通させた状態で貫通部２をシールするように構成されている。
【００２２】
貫通部２は、壁部１を貫通させて屋外と屋内とに亘って配管３ａ・配線３ｂを配設させるための孔部であり、例えば、円形状に形成されている。貫通部２は、例えば、給湯器等の機器の設置箇所の近くに配設され、屋外に設置される機器の近くから配管３ａ・配線３ｂを屋内側に配設できるようにしている。
【００２３】
シール部材４は、貫通部２と同様に円形状に形成されている。シール部材４は、複数本の配管３ａ・配線３ｂを挿通させるための挿通部材５と、複数本の配管３ａ・配線３ｂを挿通させた状態でシールするための弾性部材６とを備えている。挿通部材５と弾性部材６はともに円形状に形成されており、その中心が同一位置となるように積層状態で備えられている。
【００２４】
シール部材４は、図３に示すように、壁部１の屋外面１ａから、弾性部材６、挿通部材５の順に位置させて壁部１の屋外面１ａに取り付けられている。これにより、挿通部材５は、壁部１と挿通部材５との間に弾性部材６を位置させる状態で壁部１の屋外面１ａに取り付けられている。壁部１の屋外面１ａへのシール部材４の取り付けは、図１及び図３に示すように、シール部材４の径方向の外側部位に周方向に間隔を隔てて配置されたビス用孔部７にビス８を挿入させて、壁部１の屋外面１ａにシール部材４をビス止めすることにより、壁部１の屋外面１ａにシール部材４が固定されている。ちなみに、ビス用孔部７の数を増やすこともでき、ビス用孔部７の数や配置箇所は適宜変更することができる。
【００２５】
図１、図３及び図４に基づいて、シール部材４における挿通部材５について説明を加える。
挿通部材５は、図１及び図４に示すように、貫通部２よりも大径の円形状に形成され、例えば、ステンレス製の板状体にて構成されている。挿通部材５は、配管３ａ・配線３ｂを貫通自在な複数の挿通部材用孔部５１が備えられている。挿通部材用孔部５１としては、図４に示すように、配管３ａを貫通自在で且つ配管３ａよりも所定量だけ大径の円形状に形成された挿通部材用配管孔部５２と、配線３ｂを貫通自在で且つ配線３ｂよりも所定量だけ大径の円形状に形成された挿通部材用配線孔部５３とが備えられている。
【００２６】
挿通部材用配管孔部５２は、例えば、挿通部材５の中央部に１つの挿通部材用第１配管孔部５２ａが配置され、その挿通部材用第１配管孔部５２ａを囲む状態で挿通部材５の周方向に間隔を隔てて７つの挿通部材用第２配管孔部５２ｂ及び挿通部材用第３配管孔部５２ｃが配置されており、合計８つの挿通部材用配管孔部５２が備えられている。挿通部材用配管孔部５２の大きさについては、挿通部材用第１配管孔部５２ａよりも小径の挿通部材用第２配管孔部５２ｂと、挿通部材用第１配管孔部５２ａと同一径又は略同一径の挿通部材用第３配管孔部５２ｃとが備えられている。
【００２７】
挿通部材５の中央部を基準として、一方側（図４中、右側）に位置する３つの挿通部材用配管孔部５２が挿通部材用第２配管孔部５２ｂにて構成され、挿通部材５の他方側（図４中、左側）に位置する４つの挿通部材用配管孔部５２が挿通部材用第３配管孔部５２ｃにて構成されている。このようにして、挿通部材用第２配管孔部５２ｂが挿通部材５の一方側に集中して配置され、挿通部材用第３配管孔部５２ｃが挿通部材５の他方側に集中して配置されている。
【００２８】
例えば、屋外に設置する機器を給湯器とした場合には、挿通部材用第１配管孔部５２ａが浴槽との間で湯水を循環させるための配管を貫通させるための孔部として用いられている。挿通部材用第２配管孔部５２ｂが給湯、給水、ガス等の配管を貫通させる孔部として用いられている。挿通部材用第３配管孔部５２ｃが、床暖房装置や浴室乾燥装置との間で湯水を循環させるための配管を貫通させる孔部として用いられている。
【００２９】
挿通部材用配線孔部５３は、例えば、挿通部材５の周方向に並ぶ挿通部材用配管孔部５２の間に配置され、合計３つ備えられている。挿通部材用配線孔部５３の大きさについては、小径の挿通部材用第１配線孔部５３ａと大径の挿通部材用第２配線孔部５３ｂとが備えられている。挿通部材用第２配管孔部５２ｂ同士の間に位置する挿通部材用配線孔部５３が挿通部材用第１配線孔部５３ａにて構成され、挿通部材用第２配管孔部５２ｂと挿通部材用第３配管孔部５２ｃとの間に位置する挿通部材用配線孔部５３が挿通部材用第２配線孔部５３ｂにて構成されている。例えば、挿通部材用第１配線孔部５３ａが弱電用の配線を貫通させる孔部として用いられ、挿通部材用第２配線孔部５３ｂが強電用の配線を貫通させる孔部として用いられている。
【００３０】
挿通部材用配管孔部５２や挿通部材用配線孔部５３を、挿通部材５において、どのような位置に配置させるかの配置構成や、どのような大きさとするかについては、例えば、給湯器等の機器における配管や配線の配置構成や大きさに合わせることで、給湯器等の機器における配管や配線がお互いに交差する等の干渉が生じることを極力回避するようにしている。
【００３１】
図１〜図４に基づいて、シール部材４における弾性部材６について説明を加える。
弾性部材６は、図２及び図４に示すように、挿通部材５と同様に円形状に形成され、ゴム等の弾性体にて構成されている。弾性部材６は、図３及び図４に示すように、挿通部材５に当接する外側弾性層６１と、壁部１の屋外面１ａに当接する内側弾性層６２と、外側弾性層６１と内側弾性層６２との間に位置する中間弾性層６３との３つの弾性層が備えられている。弾性部材６は、壁部１の屋外面１ａ側から外側に、内側弾性層６２、中間弾性層６３、外側弾性層６１の順に配置された３層構造となっている。ちなみに、この実施形態では、弾性層の厚みが、中間弾性層６３＞内側弾性層６２＞外側弾性層６１となっている。
【００３２】
外側弾性層６１及び中間弾性層６３は、図２及び図４に示すように、挿通部材５と同一径又は略同一径の円形状に形成され、内側弾性層６２は、挿通部材５よりも小径の円形状に形成されている。このように、外側弾性層６１と中間弾性層６３と内側弾性層６２は、いずれも円形状に形成されており、その中心が同一位置となるように積層状態で備えられている。
【００３３】
内側弾性層６２の外径は、貫通部２の内径に対して同一又は少し大きく形成されている。これにより、内側弾性層６２は、図３に示すように、貫通部２の内周部２ａに嵌合自在に形成されている。よって、シール部材４を貫通部２に取り付ける際に、内側弾性層６２を貫通部２の内周部２ａに嵌合させることで、シール部材４を適切な取付位置に位置決めすることができる。
【００３４】
内側弾性層６２、中間弾性層６３、外側弾性層６１の夫々は、その外面側のみに接着剤や接着シール等の接着部が備えられている。これにより、外側弾性層６１と中間弾性層６３と内側弾性層６２に加えて、挿通部材５も積層させることで、外側弾性層６１の外面側が挿通部材５の内面側に接着され、中間弾性層６３の外面側が外側弾性層６１の内面側に接着され、内側弾性層６２の外面側が中間弾性層６３の内面側に接着される。このようにして、挿通部材５と弾性部材６（外側弾性層６１、中間弾性層６３及び内側弾性層６２の３層構造）を一体的に備えたシール部材４を構成することができる。
【００３５】
弾性部材６は、図３及び図４に示すように、配管３ａ・配線３ｂの外周部に当接する状態で配管３ａ・配線３ｂを貫通自在な複数の弾性部材用孔部６４が備えられている。弾性部材用孔部６４は、配管３ａ・配線３ｂの外径よりも所定量だけ小径に構成されており、弾性部材６を弾性変形させながら弾性部材用孔部６４に配管３ａ・配線３ｂを挿入することで、図３の点線にて示すように、弾性部材用孔部６４の内周部が配管３ａ・配線３ｂの外周部に当接して、弾性部材用孔部６４に配管３ａ・配線３ｂが内嵌される内嵌状態で配管３ａ・配線３ｂを貫通させるようにしている。これにより、配管３ａ・配線３ｂは、弾性部材用孔部６４に内嵌された状態で配管３ａ・配線３ｂの長さ方向に移動自在に支持されている。
【００３６】
上述の如く、弾性部材６は、内側弾性層６２、中間弾性層６３、外側弾性層６１の３層構造である。内側弾性層６２及び外側弾性層６１には、弾性部材用孔部６４が備えられ、中間弾性層６３には、弾性部材用孔部６４に代えて、配管３ａ・配線３ｂを貫通自在な複数の中間用孔部６５が備えられている。これにより、弾性部材６は、内側弾性層６２及び外側弾性層６１における弾性部材用孔部６４と中間弾性層６３の中間用孔部６５を貫通させる状態で複数の配管３ａ・配線３ｂを支持するように構成されている。
【００３７】
図４に基づいて、弾性部材用孔部６４について説明を加えるが、外側弾性層６１に備えられる弾性部材用孔部６４と内側弾性層６２に備えられる弾性部材用孔部６４とで、一部異なる構成があるが、基本的には、同様の構成を備えている。そこで、同様の構成について、外側弾性層６１に備えられる弾性部材用孔部６４にて説明し、内側弾性層６２に備えられる弾性部材用孔部６４については同符号を記す等により説明は省略する。
【００３８】
弾性部材用孔部６４は、挿通部材５における挿通部材用孔部５１に対応する位置に配置されており、挿通部材用孔部５１を貫通する配管３ａ・配線３ｂを引き続いて貫通させるように構成されている。弾性部材用孔部６４としては、挿通部材５の挿通部材用配管孔部５２に対応する弾性部材用配管孔部６６と、挿通部材５の挿通部材用配線孔部５３に対応する弾性部材用配線孔部６７とが備えられている。弾性部材用配管孔部６６は、挿通部材用配管孔部５２よりも小径に構成され、弾性部材用配線孔部６７は、挿通部材用配線孔部５３よりも小径に構成されている。これにより、弾性部材用配管孔部６６は、図３の点線で示すように、挿通部材用配管孔部５２を貫通した配管３ａの外周部に対して当接する状態で配管３ａを貫通させるように構成されている。また、図示は省略するが、弾性部材用配線孔部６７は、挿通部材用配線孔部５３を貫通した配線３ｂの外周部に対して当接する状態で配線３ｂを貫通させるように構成されている。
【００３９】
弾性部材用配管孔部６６として、挿通部材用第１配管孔部５２ａに対応する１つの円形状の弾性部材用第１配管孔部６６ａと、挿通部材用第２配管孔部５２ｂに対応する３つの円形状の弾性部材用第２配管孔部６６ｂと、挿通部材用第３配管孔部５２ｃに対応する４つの横長の楕円形状の弾性部材用第３配管孔部６６ｃとが備えられている。これにより、弾性部材用配管孔部６６は、挿通部材用配管孔部５２と同様に、外側弾性層６１の中央部、及び、外側弾性層６１の周方向に間隔を隔てて、合計８つの弾性部材用配管孔部６６が備えられている。
【００４０】
弾性部材用配線孔部６７として、挿通部材用第１配線孔部５３ａに対応する２つの弾性部材用第１配線孔部６７ａと、挿通部材用第２配線孔部５３ｂに対応する１つの弾性部材用第２配線孔部６７ｂとが備えられている。これにより、弾性部材用配線孔部６７は、挿通部材用配線孔部５３と同様に、外側弾性層６１の周方向に並ぶ弾性部材用配管孔部６６の間に配置され、合計３つの弾性部材用配線孔部６７が備えられている。
【００４１】
ここで、外側弾性層６１に備えられる弾性部材用孔部６４と内側弾性層６２に備えられる弾性部材用孔部６４とでは、弾性部材用孔部６４として、弾性部材用配管孔部６６及び弾性部材用配線孔部６７を備える点は同様の構成であるが、弾性部材用配線孔部６７における右上の弾性部材用第２配線孔部６７ｂ（強電用の孔部）の形状が、外側弾性層６１と内側弾性層６２とで異なる形状となっている。外側弾性層６１に備えられる弾性部材用第２配線孔部６７ｂは、円形状に形成されているのに対して、内側弾性層６２に備えられる弾性部材用第２配線孔部６７ｂは、横長の楕円形状に形成されている。
【００４２】
図３〜図５に基づいて、中間弾性層６３の中間用孔部６５について説明を加える。
この中間用孔部６５は、図４に示すように、配置構成及び大きさについて、挿通部材５の挿通部材用孔部５１と同様の構成となっており、挿通部材用配管孔部５２に対応する中間用配管孔部６８と、挿通部材用配線孔部５３に対応する中間用配線孔部６９とが備えられている。中間用配管孔部６８として、中間弾性層６３の中央部には、挿通部材用第１配管孔部５２ａに対応する１つの中間用第１配管孔部６８ａが配置されている。また、中間用配管孔部６８として、中間弾性層６３の径方向の外側部位には、挿通部材用第２配管孔部５２ｂに対応する３つの中間用第２配管孔部６８ｂと、挿通部材用第３配管孔部５２ｃに対応する４つの中間用第３配管孔部６８ｃとが配置されている。中間用配線孔部６９として、中間弾性層６３の周方向に並ぶ中間用配管孔部６８の間には、挿通部材用第１配線孔部５３ａに対応する中間用第１配線孔部６９ａと、挿通部材用第２配線孔部５３ｂに対応する中間用第２配線孔部６９ｂとが配置されている。
【００４３】
本実施形態における貫通部シール構造では、壁部１の屋外面１ａにおいて貫通部２に対応する位置にシール部材４を取り付けることで、貫通部２に複数本の配管３ａ・配線３ｂを挿通させた状態で貫通部２をシールするように構成されている。
【００４４】
図３に示すように、壁部１の屋外面１ａと挿通部材５との間に弾性部材６を位置させる状態でシール部材４を壁部１の屋外面１ａに取り付けることで、弾性部材６にて挿通部材５と壁部１の屋外面１ａとの間をシールするように構成されている。しかも、弾性部材６には、弾性部材用孔部６４が備えられており、弾性部材用孔部６４の内周部が配管３ａ・配線３ｂの外周部に当接して弾性部材用孔部６４に配管３ａ・配線３ｂが内嵌される内嵌状態で配管３ａ・配線３ｂを貫通させている。これにより、弾性部材６は、挿通部材５と壁部１の屋外面１ａとの間をシールするだけでなく、挿通部材５の挿通部材用孔部５１の内周部と配管３ａ・配線３ｂの外周部との間をもシールするように構成されている。
【００４５】
壁部１の屋外面１ａと挿通部材５との間には、外側弾性層６１及び中間弾性層６３が配置されているので、外側弾性層６１及び中間弾性層６３が、挿通部材５と壁部１の屋外面１ａとの間をシールする第１シール部８１として機能するように構成されている。しかも、外側弾性層６１及び内側弾性層６２では、弾性部材用孔部６４の内周部が配管３ａ・配線３ｂの外周部に当接しているので、外側弾性層６１及び内側弾性層６２における弾性部材用孔部６４の内周部が、挿通部材用孔部５１の内周部と配管３ａ・配線３ｂの外周部との間をシールする第２シール部８２として機能するように構成されている。
【００４６】
このようにして、弾性部材６は、第１シール部８１と第２シール部８２とを一体的に備えた一体シール部として構成されている。よって、弾性部材６を備えたシール部材４を貫通部２に取り付けるだけで、挿通部材５と壁部１の屋外面１ａとの間をシールするとともに、挿通部材５の挿通部材用孔部５１の内周部と配管３ａ・配線３ｂの外周部との間をもシールすることができ、部材点数の低減、及び、構成の簡素化を図りながら、屋外側から屋内側への雨水等の浸入を防止することができる。
【００４７】
上述の如く、シール部材４を壁部１の屋外面１ａに取り付けると、図３に示すように、弾性部材６の内側弾性層６２が貫通部２の内周部２ａに嵌合しているので、壁部１の屋外面１ａと挿通部材５との間に位置する中間弾性層６３に連続する状態で、内側弾性層６２の外周部と貫通部２の内周部とが当接することになる。これにより、内側弾性層６２の外周部と貫通部２の内周部２ａとの間もシールすることができるので、壁部１の屋外面１ａと挿通部材５との間を通して貫通部２内に雨水等が浸入するのを適切に防止することができる。
【００４８】
また、挿通部材用孔部５１の内周部と配管３ａ・配線３ｂの外周部との間から雨水等が屋内側に浸入するのを防止するために、上述の如く、弾性部材６の外側弾性層６１において、弾性部材用孔部６４の内周部が配管３ａ・配線３ｂの外周部に当接している。これにより、弾性部材用孔部６４の内周部と配管３ａ・配線３ｂの外周部との間をシールするシール構造を採用しているが、このシール構造に加えて、浸入する雨水等を屋外側に排出するための排出構造が備えられている。
【００４９】
排出構造として、図４及び図５に示すように、中間弾性層６３には、配管３ａ・配線３ｂと挿通部材用孔部５１との間に浸入する水を屋外側に排出する排出通路７１が備えられている。排出通路７１は、複数の中間用孔部６５を接続する状態で形成されている。排出通路７１は、中間用孔部６５同士を接続する第１接続通路７２と、中間用孔部６５と中間弾性層６３の径方向外側の外部とを接続する第２接続通路７３とが備えられている。
【００５０】
第１接続通路７２は、図５に示すように、複数の中間用孔部６５のうち、２つの中間用孔部６５を接続するように構成されており、複数の第１接続通路７２が備えられている。複数の第１接続通路７２の夫々は、接続対象となる２つの中間用孔部６５の間で上下の位置関係が生じる状態で、隣接位置する２つの中間用孔部６５を接続している。複数の第１接続通路７２の夫々は、ある中間用孔部６５とそれよりも下方側に位置する中間用孔部６５とを接続するように構成されている。
【００５１】
この実施形態では、例えば、４つの中間用第３配管孔部６８ｃのうち、最も上方側に位置する中間用第３配管孔部６８ｃと中間用第１配管孔部６８ａとが第１接続通路７２にて接続され、４つの中間用第３配管孔部６８ｃのうち、最も下方側に位置する中間用第３配管孔部６８ｃと中間用第１配管孔部６８ａとが第１接続通路７２にて接続されている。これにより、最も上方側に位置する中間用第３配管孔部６８ｃ、第１接続通路７２、中間用第１配管孔部６８ａ、第１接続通路７２、最も下方側に位置する中間用第３配管孔部６８ｃの順に並ぶ上方側から下方側に向かう一連の通路を形成している。また、他の中間用孔部６５についても、第１接続通路７２にて接続することで、上方側から下方側に向かう一連の通路が形成されている。このようにして、複数の中間用孔部６５の全てが第１接続通路７２にて接続され、上方側から下方側に向かう一連の通路が１つ又は複数形成されている。この実施形態では、上方側から下方側に向かう一連の通路が３つ形成されている。
【００５２】
第２接続通路７３は、最も下方側に位置する中間用第３配管孔部６８ｃ及び中間用第２配管孔部６８ｂを、中間弾性層６３の径方向外側となる中間弾性層６３の下方側外部に接続するための通路に構成されている。第２接続通路７３が接続する中間弾性層６３の下方側外部は、最も下方側に位置する中間用第３配管孔部６８ｃ及び中間用第２配管孔部６８ｂよりも下方側に位置しているので、第２接続通路７３自体が、上方側から下方側に向かう通路に構成されている。この実施形態では、第２接続通路７３は、２つの通路が途中部位にて合流して１つの通路となり、その１つの通路が中間弾性層６３の下方側外部に接続されている。
【００５３】
このようにして、排出通路７１は、第１接続通路７２により形成された上方側から下方側に向かう一連の通路と、その一連の通路に連続する第２接続通路７３とが備えられている。挿通部材５における挿通部材用孔部５１と配管３ａ・配線３ｂとの間から浸入した雨水等がシール部材４の厚み方向において中間弾性層６３まで到達した場合には、その雨水等が、複数の中間用孔部６５のいずれかに浸入することになる。そこで、雨水等は、第１接続通路７２にて形成された上方側から下方側に向かう一連の通路によって、自重により最も下方側に位置する中間用第３配管孔部６８ｃ及び中間用第２配管孔部６８ｂに案内される。そして、最も下方側に位置する中間用第３配管孔部６８ｃ及び中間用第２配管孔部６８ｂに案内された雨水等は、第２接続通路７３によって、自重により中間弾性層６３の下方側外部に案内され、屋外側に排出される。よって、外側弾性層６１において、仮に、配管３ａ・配線３ｂと弾性部材用孔部６４との間から雨水等が浸入して、シール部材４の厚み方向において中間弾性層６３まで到達しても、その雨水等を屋外側に排出することができる。
【００５４】
しかも、中間弾性層６３よりも屋内側には、図３に示すように、内側弾性層６２が位置しており、内側弾性層６２では、弾性部材用孔部６４の内周部が配管３ａ・配線３ｂの外周部に当接している。このようにして、弾性部材用孔部６４の内周部と配管３ａ・配線３ｂの外周部との間をシールするシール構造が、外側弾性層６１だけでなく、内側弾性層６２でも採用されており、シール構造を外側弾性層６１と内側弾性層６２との二重構造としている。しかも、内側弾性層６２のシール構造は、排出構造を備えた中間弾性層６３よりも屋内側に位置しているので、仮に、外側弾性層６１よりも屋内側に雨水等が浸入しても、その雨水等を中間弾性層６３の排出構造により屋外側に排出した後に、内側弾性層６２のシール構造により内側弾性層６２よりも屋内側への雨水等の浸入を防止することができ、貫通部２への雨水等の浸入を確実に防止することができる。
【００５５】
シール部材４における挿通部材５には、複数の挿通部材用孔部５１が備えられ、シール部材４における弾性部材６にも、複数の弾性部材用孔部６４が備えられており、複数の配管３ａ・配線３ｂが挿通可能となっている。挿通させる配管３ａ・配線３ｂの本数よりも、挿通部材用孔部５１及び弾性部材用孔部６４の個数の方が多い場合がある。このような場合には、図１に示すように、挿通部材用孔部５１を閉塞する閉塞部材９１が備えられており、使用しない挿通部材用孔部５１に対して閉塞部材９１を取り付けることで、挿通部材用孔部５１を閉塞している。
【００５６】
ちなみに、中間弾性層６３における中間用孔部６５は、挿通部材５における挿通部材用孔部５１と同様の構成である。よって、中間弾性層６３において孔抜きして中間用孔部６５を形成する過程で、挿通部材用孔部５１を閉塞可能な弾性部材が形成される。そこで、この弾性部材を閉塞部材９１として用いている。
【００５７】
〔別実施形態〕
本発明の他の実施形態について説明する。尚、以下に説明する各実施形態の構成は、それぞれ単独で適用することに限らず、他の実施形態の構成と組み合わせて適用することも可能である。
【００５８】
（１）上記実施形態では、弾性部材６を、外側弾性層６１、中間弾性層６３、内側弾性層６２の３層構造としているが、例えば、１層構造とすることもできる。このように、弾性部材６を何層構造とするかは適宜変更が可能であり、各弾性層をどのような厚みにするかも適宜変更が可能である。
【００５９】
（２）上記実施形態では、排出通路７１を、複数の中間用孔部６５を接続する状態で形成しているが、排出通路７１をどのように形成するかは適宜変更可能である。
また、排出通路７１の配置位置についても、外側弾性層６１と内側弾性層６２との間であればよく、中間弾性層６３を備えることなく、排出通路７１のみを備えることもできる。
【００６０】
（３）上記実施形態において、挿通部材用孔部５１、弾性部材用孔部６４、及び、中間用孔部６５について、どのような位置に配置するかの配置構成や、どのような大きさとするか等は、適宜変更が可能である。例えば、弾性部材用孔部６４として、弾性部材用配線孔部６７を省略して、弾性部材用配管孔部６６のみを備えることができ、挿通部材用孔部５１、弾性部材用孔部６４、及び、中間用孔部６５として、どのような孔部を備えるかについても適宜変更が可能である。
【００６１】
（４）上記実施形態では、区画体を住宅等の建物の壁部１としているが、壁部１に限らず、例えば、屋上スラブ等、屋外と屋内とを区画する区画体であれば、その他の区画体を適用することもできる。
【符号の説明】
【００６２】
１          壁部
１ａ        屋外面
２          貫通部
２ａ        内周部
３ａ        配管
３ｂ        配線
４          シール部材
５          挿通部材
６          弾性部材
５１        挿通部材用孔部
６１        外側弾性層
６２        内側弾性層
６３        中間弾性層
６４        弾性部材用孔部
６５        中間用孔部
７１        排出通路
８１        第１シール部
８２        第２シール部
【図１】
2019060460.tif 000003
【図２】
2019060460.tif 000004
【図３】
2019060460.tif 000005
【図４】
2019060460.tif 000006
【図５】
2019060460.tif 000007